(57)【要約】【課題】重要な内容の伝達の便宜に供する。【解決手段】伝達される内容の重要性に応じた押圧力で押圧部２１８が押圧されると、コンピュータ１６の押圧力計算部１０３が押圧力を計算し、押圧部２１８に対応する相手のコンピュータ（１８）に対し映像と音声を送信するとともに押圧力を通知する。相手のコンピュータ（１８）の表示制御部１０７は、映像をコンピュータ１６に対応する方向に当該押圧力に応じた大きさで表示させ、音声をコンピュータ１６に対応する方向から聞こえるように当該押圧力に応じた大きさで再生する。これにより、重要性が顕在化することとなり、重要な内容の伝達の便宜に供することができる。【選択図】図１
2006253823.tif 000002
【特許請求の範囲】
【請求項１】
各方向に配置される押圧部と、
押圧された押圧部または押圧位置または押圧部の方向と押圧力を検出する手段と、
映像を撮像する手段、音声を取得する手段の少なくとも一方と、
当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を通知する通信手段と
を備えるユーザ端末システムの相手のユーザ端末システムとなるものであり、
映像が表示される手段、送信される映像を、押圧力を通知するユーザ端末システムに対応する方向に当該押圧力に応じた大きさで表示させる手段の組、
音声を再生する手段、送信される音声を、押圧力を通知するユーザ端末システムに対応する方向から聞こえるように当該押圧力に応じた大きさで再生させる手段の組、の少なくとも一方の組
を備えるユーザ端末システム。
【請求項２】
相手のユーザ端末システムが、
映像が表示される手段、送信される映像を、押圧力を通知するユーザ端末システムに対応する方向に当該押圧力に応じた大きさで表示させる手段の組、
音声を再生する手段、送信される音声を、押圧力を通知するユーザ端末システムに対応する方向から聞こえるように当該押圧力に応じた大きさで再生させる手段の組、の少なくとも一方の組
を備えるときのユーザ端末システムとなるものであり、
各方向に配置される押圧部と、
押圧された押圧部または押圧位置または押圧部の方向と押圧力を検出する手段と、
映像を撮像する手段、音声を取得する手段の少なくとも一方と、
当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を通知する通信手段と
を備えるユーザ端末システム。
【請求項３】
各方向に配置される押圧部と、
押圧された押圧部または押圧位置または押圧部の方向と押圧力を検出する手段と、
映像を撮像する手段、音声を取得する手段の少なくとも一方と、
当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を通知する通信手段と
を備えるユーザ端末システムの相手のユーザ端末システムとなるものであり、
映像が表示される手段、前記送信される映像を表示させる手段の組、
音声を再生する手段、前記送信される音声を再生させる手段の組、の少なくとも一方の組と、
各方向に配置される押圧部と、
押圧部が押圧されたときの抗力を設定する手段、押圧力を通知するユーザ端末システムに対応する方向に配置される押圧部に当該押圧力に応じた抗力を設定させる手段の組、
押圧されていないときの押圧部の押圧方向における位置を制御する手段、押圧力を通知するユーザ端末システムに対応する方向に配置される押圧部の位置を当該押圧力に応じて制御する手段の組、の少なくとも一方の組と
を備えるユーザ端末システム。
【請求項４】
相手のユーザ端末システムが、
映像が表示される手段、送信される映像を表示させる手段の組、
音声を再生する手段、送信される音声を再生させる手段の組、の少なくとも一方の組と、
各方向に配置される押圧部と、
押圧部が押圧されたときの抗力を設定する手段、押圧力を通知するユーザ端末システムに対応する方向に配置される押圧部に当該押圧力に応じた抗力を設定させる手段の組、
押圧されていないときの押圧部の押圧方向における位置を制御する手段、押圧力を通知するユーザ端末システムに対応する方向に配置される押圧部の位置を当該押圧力に応じて制御する手段の組、の少なくとも一方の組と
を備えるときのユーザ端末システムとなるものであり、
押圧された押圧部または押圧位置または押圧部の方向と押圧力を検出する手段と、
映像を撮像する手段、音声を取得する手段の少なくとも一方と、
当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を通知する通信手段と
を備えるユーザ端末システム。
【請求項５】
各方向に配置される押圧部と、
押圧された押圧部または押圧位置または押圧部の方向と押圧力を検出する手段と、
映像を撮像する手段、音声を取得する手段の少なくとも一方と、
当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を相手と第３者のユーザ端末システムとに通知する通信手段と
を備えるユーザ端末システムの相手のユーザ端末システムが、
各方向に配置される押圧部と、
押圧された押圧部または押圧位置または押圧部の方向と押圧力を検出する手段と、
映像を撮像する手段、音声を取得する手段の少なくとも一方と、
当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を相手と第３者のユーザ端末システムとに通知する通信手段とを備えるときの第３者のユーザ端末システムとなるものであり、
各方向に配置される押圧部と、
押圧された押圧部または押圧位置または押圧部の方向と押圧力を検出する手段と、
映像を撮像する手段、音声を取得する手段の少なくとも一方と、
当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を相手と第３者のユーザ端末システムとに通知する通信手段と、
押圧部が押圧されたときの抗力を設定する手段、押圧力を通知するユーザ端末システムに対応する方向に配置される押圧部に当該押圧力に応じた抗力を設定させる手段の組、
押圧されていないときの押圧部の押圧方向における位置を制御する手段、押圧力を通知するユーザ端末システムに対応する方向に配置される押圧部の位置を当該押圧力に応じて制御する手段の組、の少なくとも一方の組と
を備えるユーザ端末システム。
【請求項６】
各方向に配置される押圧部と、
押圧された押圧部または押圧位置または押圧部の方向と押圧力を検出する手段と、
映像を撮像する手段、音声を取得する手段の少なくとも一方と、
当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を通知する通信手段と
を備えるユーザ端末システムならびに、
その相手のユーザ端末システムとなるものであり、
映像が表示される手段、送信される映像を、押圧力を通知するユーザ端末システムに対応する方向に当該押圧力に応じた大きさで表示させる手段の組、
音声を再生する手段、送信される音声を、押圧力を通知するユーザ端末システムに対応する方向から聞こえるように当該押圧力に応じた大きさで再生させる手段の組、の少なくとも一方の組
を備えるユーザ端末システム
を備える通話システム。
【請求項７】
各方向に配置される押圧部と、
押圧された押圧部または押圧位置または押圧部の方向と押圧力を検出する手段と、
映像を撮像する手段、音声を取得する手段の少なくとも一方と、
当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を通知する通信手段と
を備えるユーザ端末システムならびに、
その相手のユーザ端末システムとなるものであり、
映像が表示される手段、前記送信される映像を表示させる手段の組、
音声を再生する手段、前記送信される音声を再生させる手段の組、の少なくとも一方の組と、
各方向に配置される押圧部と、
押圧部が押圧されたときの抗力を設定する手段、押圧力を通知するユーザ端末システムに対応する方向に配置される押圧部に当該押圧力に応じた抗力を設定させる手段の組、
押圧されていないときの押圧部の押圧方向における位置を制御する手段、押圧力を通知するユーザ端末システムに対応する方向に配置される押圧部の位置を当該押圧力に応じて制御する手段の組、の少なくとも一方の組と
を備えるユーザ端末システム
を備える通話システム。
【請求項８】
各方向に配置される押圧部と、
押圧された押圧部または押圧位置または押圧部の方向と押圧力を検出する手段と、
映像を撮像する手段、音声を取得する手段の少なくとも一方と、
当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を相手と第３者のユーザ端末システムとに通知する通信手段と
を備えるユーザ端末システムならびに、
その相手のユーザ端末システムとなるものであり、
各方向に配置される押圧部と、
押圧された押圧部または押圧位置または押圧部の方向と押圧力を検出する手段と、
映像を撮像する手段、音声を取得する手段の少なくとも一方と、
当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を相手と第３者のユーザ端末システムとに通知する通信手段と
を備えるユーザ端末システムならびに、
そのときの第３者のユーザ端末システムとなるものであり、
各方向に配置される押圧部と、
押圧された押圧部または押圧位置または押圧部の方向と押圧力を検出する手段と、
映像を撮像する手段、音声を取得する手段の少なくとも一方と、
当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を相手と第３者のユーザ端末システムとに通知する通信手段と、
押圧部が押圧されたときの抗力を設定する手段、押圧力を通知するユーザ端末システムに対応する方向に配置される押圧部に当該押圧力に応じた抗力を設定させる手段の組、
押圧されていないときの押圧部の押圧方向における位置を制御する手段、押圧力を通知するユーザ端末システムに対応する方向に配置される押圧部の位置を当該押圧力に応じて制御する手段の組、の少なくとも一方の組と
を備えるユーザ端末システム
を備える通話システム。
【請求項９】
請求項１ないし５のいずれかに記載のユーザ端末システムをコンピュータで実現するときの当該コンピュータを機能させるコンピュータプログラム。
【発明の詳細な説明】
【技術分野】
【０００１】
本発明は、重要な内容の伝達の便宜に供するユーザ端末システムならびに通話システムに関するものである。
【背景技術】
【０００２】
従来より、通信相手の指定についての利便性を供与するために、通信相手に対応するアイコンをタッチパネルディスプレイに表示し、そのアイコンにユーザが触れることにより通信相手と接続するような工夫がなされている。
【０００３】
また、近年においては、通信相手のコンピュータを用いるユーザの音声を特定の方向から聞こえるようにしたいという要望があり、このような音の定位に関する技術が、例えば、特許文献１に開示されている。
【０００４】
また、表示されている相手のユーザの映像を押圧したときの押圧力に応じて、相手に聞こえる音声を大きくすることが、例えば、特許文献２に開示された技術により可能である。
【特許文献１】特開２０００−２９５７００号公報
【特許文献２】特開平８−１７１４５３号公報
【発明の開示】
【発明が解決しようとする課題】
【０００５】
しかし、特許文献１の技術を適用すると、あるユーザの音声をそのユーザに対応する方向から聞こえるようにすることができない。つまり、多数のユーザの音声が同じ方向から聞こえることになってしまう。よって、例えば、重要な内容を伝達したい場合は、ユーザ自らが声を大きくしたりする必要がある。
【０００６】
また、特許文献２の技術を適用したとしても、通話していないユーザから通話要求により通話が妨害されるを防ぐことはできなかった。よって、妨害により重要な内容を伝達が一層困難になってしまうという課題がある。
【０００７】
本発明は、上記の課題に鑑みてなされたものであり、その目的とするところは、通話システムにおいて重要な内容の伝達の便宜に供するユーザ端末システムならびに重要な内容の伝達の便宜に供する通話システムを提供することにある。
【課題を解決するための手段】
【０００８】
上記の課題を解決するために、請求項１の本発明は、各方向に配置される押圧部と、押圧された押圧部または押圧位置または押圧部の方向と押圧力を検出する手段と、映像を撮像する手段、音声を取得する手段の少なくとも一方と、当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を通知する通信手段とを備えるユーザ端末システムの相手のユーザ端末システムとなるものであり、映像が表示される手段、送信される映像を、押圧力を通知するユーザ端末システムに対応する方向に当該押圧力に応じた大きさで表示させる手段の組、音声を再生する手段、送信される音声を、押圧力を通知するユーザ端末システムに対応する方向から聞こえるように当該押圧力に応じた大きさで再生させる手段の組、の少なくとも一方の組を備えるユーザ端末システムをもって解決手段とする。
【０００９】
請求項１の本発明によれば、伝達される内容の重要性に応じた押圧力で押圧部が押圧され、押圧された押圧部または押圧位置または押圧部の方向と押圧力が検出され、当該検出された押圧部または押圧位置の属する押圧部が配置される方向または押圧部の方向に対応する相手のユーザ端末システムに対し映像と音声の少なくとも一方が送信されるとともに当該検出された押圧力が通知されたときに、送信された映像を、押圧力を通知するユーザ端末システムに対応する方向に当該押圧力に応じた大きさで表示すること、送信された音声を、押圧力を通知するユーザ端末システムに対応する方向から聞こえるように当該押圧力に応じた大きさで再生すること、の少なくとも一方を行うことで、重要性が顕在化することとなり、よって、重要な内容の伝達の便宜に供することができる。
【００１０】
請求項２の本発明は、相手のユーザ端末システムが、映像が表示される手段、送信される映像を、押圧力を通知するユーザ端末システムに対応する方向に当該押圧力に応じた大きさで表示させる手段の組、音声を再生する手段、送信される音声を、押圧力を通知するユーザ端末システムに対応する方向から聞こえるように当該押圧力に応じた大きさで再生させる手段の組、の少なくとも一方の組を備えるときのユーザ端末システムとなるものであり、各方向に配置される押圧部と、押圧された押圧部または押圧位置または押圧部の方向と押圧力を検出する手段と、映像を撮像する手段、音声を取得する手段の少なくとも一方と、当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を通知する通信手段とを備えるユーザ端末システムをもって解決手段とする。
【００１１】
請求項２の本発明によれば、伝達される内容の重要性に応じた押圧力で押圧部が押圧されたときに、押圧された押圧部または押圧位置または押圧部の方向と押圧力を検出し、当該検出された押圧部または押圧位置の属する押圧部が配置される方向または押圧部の方向に対応する相手のユーザ端末システムに対し映像と音声の少なくとも一方を送信するとともに当該検出された押圧力を通知することで、送信される映像が、押圧力を通知するユーザ端末システムに対応する方向に当該押圧力に応じた大きさで表示されること、送信される音声が、押圧力を通知するユーザ端末システムに対応する方向から聞こえるように当該押圧力に応じた大きさで再生されること、の少なくとも一方がなされ、よって、重要性が顕在化することとなり、よって、重要な内容の伝達の便宜に供することができる。
【００１２】
請求項３の本発明は、各方向に配置される押圧部と、押圧された押圧部または押圧位置または押圧部の方向と押圧力を検出する手段と、映像を撮像する手段、音声を取得する手段の少なくとも一方と、当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を通知する通信手段とを備えるユーザ端末システムの相手のユーザ端末システムとなるものであり、映像が表示される手段、前記送信される映像を表示させる手段の組、音声を再生する手段、前記送信される音声を再生させる手段の組、の少なくとも一方の組と、各方向に配置される押圧部と、押圧部が押圧されたときの抗力を設定する手段、押圧力を通知するユーザ端末システムに対応する方向に配置される押圧部に当該押圧力に応じた抗力を設定させる手段の組、押圧されていないときの押圧部の押圧方向における位置を制御する手段、押圧力を通知するユーザ端末システムに対応する方向に配置される押圧部の位置を当該押圧力に応じて制御する手段の組、の少なくとも一方の組とを備えるユーザ端末システムをもって解決手段とする。
【００１３】
請求項３の本発明によれば、伝達される内容の重要性に応じた押圧力で押圧部が押圧され、押圧された押圧部または押圧位置または押圧部の方向と押圧力が検出され、当該検出された押圧部または押圧位置の属する押圧部が配置される方向または押圧部の方向に対応する相手のユーザ端末システムに対し映像と音声の少なくとも一方が送信されるとともに当該検出された押圧力が通知されたときに、映像を表示させること、音声を再生すること、の少なくとも一方を行い、押圧力を通知するユーザ端末システムに対応する方向に配置される押圧部に当該押圧力に応じた抗力を設定すること、押圧力を通知するユーザ端末システムに対応する方向に配置される押圧部の位置を当該押圧力に応じて制御すること、の少なくとも一方を行うことで、重要性が顕在化することとなり、よって、重要な内容の伝達の便宜に供することができる。
【００１４】
請求項４の本発明は、相手のユーザ端末システムが、映像が表示される手段、送信される映像を表示させる手段の組、音声を再生する手段、送信される音声を再生させる手段の組、の少なくとも一方の組と、各方向に配置される押圧部と、押圧部が押圧されたときの抗力を設定する手段、押圧力を通知するユーザ端末システムに対応する方向に配置される押圧部に当該押圧力に応じた抗力を設定させる手段の組、押圧されていないときの押圧部の押圧方向における位置を制御する手段、押圧力を通知するユーザ端末システムに対応する方向に配置される押圧部の位置を当該押圧力に応じて制御する手段の組、の少なくとも一方の組とを備えるときのユーザ端末システムとなるものであり、押圧された押圧部または押圧位置または押圧部の方向と押圧力を検出する手段と、映像を撮像する手段、音声を取得する手段の少なくとも一方と、当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を通知する通信手段とを備えるユーザ端末システムをもって解決手段とする。
【００１５】
請求項４の本発明によれば、伝達される内容の重要性に応じた押圧力で押圧部が押圧されたときに、押圧された押圧部または押圧位置または押圧部の方向と押圧力を検出し、当該検出された押圧部または押圧位置の属する押圧部が配置される方向または押圧部の方向に対応する相手のユーザ端末システムに対し映像と音声の少なくとも一方を送信するとともに当該検出された押圧力を通知することで、映像が表示されること、音声が再生されること、の少なくとも一方が行われ、押圧力を通知するユーザ端末システムに対応する方向に配置される押圧部に当該押圧力に応じた抗力が設定されること、押圧力を通知するユーザ端末システムに対応する方向に配置される押圧部の位置が当該押圧力に応じて制御されること、の少なくとも一方が行われ、重要な内容が伝達され得る通話を妨害する通話要求を遠慮する心理が働くこととなり、よって、重要な内容の伝達の便宜に供することができる。
【００１６】
請求項５の本発明は、各方向に配置される押圧部と、押圧された押圧部または押圧位置または押圧部の方向と押圧力を検出する手段と、映像を撮像する手段、音声を取得する手段の少なくとも一方と、当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を相手と第３者のユーザ端末システムとに通知する通信手段とを備えるユーザ端末システムの相手のユーザ端末システムが、各方向に配置される押圧部と、押圧された押圧部または押圧位置または押圧部の方向と押圧力を検出する手段と、映像を撮像する手段、音声を取得する手段の少なくとも一方と、当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を相手と第３者のユーザ端末システムとに通知する通信手段とを備えるときの第３者のユーザ端末システムとなるものであり、各方向に配置される押圧部と、押圧された押圧部または押圧位置または押圧部の方向と押圧力を検出する手段と、映像を撮像する手段、音声を取得する手段の少なくとも一方と、当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を相手と第３者のユーザ端末システムとに通知する通信手段と、押圧部が押圧されたときの抗力を設定する手段、押圧力を通知するユーザ端末システムに対応する方向に配置される押圧部に当該押圧力に応じた抗力を設定させる手段の組、押圧されていないときの押圧部の押圧方向における位置を制御する手段、押圧力を通知するユーザ端末システムに対応する方向に配置される押圧部の位置を当該押圧力に応じて制御する手段の組、の少なくとも一方の組とを備えるユーザ端末システムをもって解決手段とする。
【００１７】
請求項５の本発明によれば、伝達される内容の重要性に応じた押圧力で押圧部が押圧され、押圧された押圧部または押圧位置または押圧部の方向と押圧力が検出され、当該検出された押圧部または押圧位置の属する押圧部が配置される方向または押圧部の方向に対応する相手のユーザ端末システムに対し映像と音声の少なくとも一方が送信されるとともに当該検出された押圧力が相手と第３者のユーザ端末システムとに通知され、相手のユーザ端末システムで、伝達される内容の重要性に応じた押圧力で押圧部が押圧され、押圧された押圧部または押圧位置または押圧部の方向と押圧力が検出され、当該検出された押圧部または押圧位置の属する押圧部が配置される方向または押圧部の方向に対応する相手のユーザ端末システムに対し映像と音声の少なくとも一方が送信されるともに当該検出された押圧力が相手と第３者のユーザ端末システムとに通知されるときに、押圧力を通知するユーザ端末システムに対応する方向に配置される押圧部に当該押圧力に応じた抗力を設定すること、押圧力を通知するユーザ端末システムに対応する方向に配置される押圧部の位置を当該押圧力に応じて制御すること、の少なくとも一方を行うことで、重要な内容が伝達され得る通話を妨害する通話要求を遠慮する心理が働くこととなり、よって、重要な内容の伝達の便宜に供することができる。
【００１８】
請求項６の本発明は、各方向に配置される押圧部と、押圧された押圧部または押圧位置または押圧部の方向と押圧力を検出する手段と、映像を撮像する手段、音声を取得する手段の少なくとも一方と、当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を通知する通信手段とを備えるユーザ端末システムならびに、その相手のユーザ端末システムとなるものであり、映像が表示される手段、送信される映像を、押圧力を通知するユーザ端末システムに対応する方向に当該押圧力に応じた大きさで表示させる手段の組、音声を再生する手段、送信される音声を、押圧力を通知するユーザ端末システムに対応する方向から聞こえるように当該押圧力に応じた大きさで再生させる手段の組、の少なくとも一方の組を備えるユーザ端末システムを備える通話システムをもって解決手段とする。
【００１９】
請求項６の本発明によれば、伝達される内容の重要性に応じた押圧力で押圧部が押圧されたときに、押圧された押圧部または押圧位置または押圧部の方向と押圧力を検出し、当該検出された押圧部または押圧位置の属する押圧部が配置される方向または押圧部の方向に対応する相手のユーザ端末システムに対し映像と音声の少なくとも一方を送信するとともに当該検出された押圧力を通知し、送信された映像を、押圧力を通知するユーザ端末システムに対応する方向に当該押圧力に応じた大きさで表示すること、送信された音声を、押圧力を通知するユーザ端末システムに対応する方向から聞こえるように当該押圧力に応じた大きさで再生すること、の少なくとも一方を行うことで、重要性が顕在化することとなり、よって、重要な内容の伝達の便宜に供することができる。
【００２０】
請求項７の本発明は、各方向に配置される押圧部と、押圧された押圧部または押圧位置または押圧部の方向と押圧力を検出する手段と、映像を撮像する手段、音声を取得する手段の少なくとも一方と、当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を通知する通信手段とを備えるユーザ端末システムならびに、その相手のユーザ端末システムとなるものであり、映像が表示される手段、前記送信される映像を表示させる手段の組、音声を再生する手段、前記送信される音声を再生させる手段の組、の少なくとも一方の組と、各方向に配置される押圧部と、押圧部が押圧されたときの抗力を設定する手段、押圧力を通知するユーザ端末システムに対応する方向に配置される押圧部に当該押圧力に応じた抗力を設定させる手段の組、押圧されていないときの押圧部の押圧方向における位置を制御する手段、押圧力を通知するユーザ端末システムに対応する方向に配置される押圧部の位置を当該押圧力に応じて制御する手段の組、の少なくとも一方の組とを備えるユーザ端末システムを備える通話システムをもって解決手段とする。
【００２１】
請求項７の本発明によれば、伝達される内容の重要性に応じた押圧力で押圧部が押圧されたときに、押圧された押圧部または押圧位置または押圧部の方向と押圧力を検出し、当該検出された押圧部または押圧位置の属する押圧部が配置される方向または押圧部の方向に対応する相手のユーザ端末システムに対し映像と音声の少なくとも一方を送信するとともに当該検出された押圧力を通知し、映像を表示させること、音声を再生すること、の少なくとも一方を行い、押圧力を通知するユーザ端末システムに対応する方向に配置される押圧部に当該押圧力に応じた抗力を設定すること、押圧力を通知するユーザ端末システムに対応する方向に配置される押圧部の位置を当該押圧力に応じて制御すること、の少なくとも一方を行うことで、重要性が顕在化することとなり、よって、重要な内容の伝達の便宜に供することができる。
【００２２】
請求項８の本発明は、各方向に配置される押圧部と、押圧された押圧部または押圧位置または押圧部の方向と押圧力を検出する手段と、映像を撮像する手段、音声を取得する手段の少なくとも一方と、当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を相手と第３者のユーザ端末システムとに通知する通信手段とを備えるユーザ端末システムならびに、その相手のユーザ端末システムとなるものであり、各方向に配置される押圧部と、押圧された押圧部または押圧位置または押圧部の方向と押圧力を検出する手段と、映像を撮像する手段、音声を取得する手段の少なくとも一方と、当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を相手と第３者のユーザ端末システムとに通知する通信手段とを備えるユーザ端末システムならびに、そのときの第３者のユーザ端末システムとなるものであり、各方向に配置される押圧部と、押圧された押圧部または押圧位置または押圧部の方向と押圧力を検出する手段と、映像を撮像する手段、音声を取得する手段の少なくとも一方と、当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を相手と第３者のユーザ端末システムとに通知する通信手段と、押圧部が押圧されたときの抗力を設定する手段、押圧力を通知するユーザ端末システムに対応する方向に配置される押圧部に当該押圧力に応じた抗力を設定させる手段の組、押圧されていないときの押圧部の押圧方向における位置を制御する手段、押圧力を通知するユーザ端末システムに対応する方向に配置される押圧部の位置を当該押圧力に応じて制御する手段の組、の少なくとも一方の組とを備えるユーザ端末システムを備える通話システムをもって解決手段とする。
【００２３】
請求項８の本発明によれば、伝達される内容の重要性に応じた押圧力で押圧部が押圧されたときに、押圧された押圧部または押圧位置または押圧部の方向と押圧力を検出し、当該検出された押圧部または押圧位置の属する押圧部が配置される方向または押圧部の方向に対応する相手のユーザ端末システムに対し映像と音声の少なくとも一方を送信するとともに当該検出された押圧力を相手と第３者のユーザ端末システムとに通知し、相手のユーザ端末システムで、伝達される内容の重要性に応じた押圧力で押圧部が押圧されたときに、押圧された押圧部または押圧位置または押圧部の方向と押圧力を検出し、当該検出された押圧部または押圧位置の属する押圧部が配置される方向または押圧部の方向に対応する相手のユーザ端末システムに対し映像と音声の少なくとも一方を送信するともに当該検出された押圧力を相手と第３者のユーザ端末システムとに通知し、第３者のユーザ端末システムで、押圧力を通知するユーザ端末システムに対応する方向に配置される押圧部に当該押圧力に応じた抗力を設定すること、押圧力を通知するユーザ端末システムに対応する方向に配置される押圧部の位置を当該押圧力に応じて制御すること、の少なくとも一方を行うことで、重要な内容が伝達され得る通話を妨害する通話要求を遠慮する心理が働くこととなり、よって、重要な内容の伝達の便宜に供することができる。
【００２４】
請求項９の本発明は、請求項１ないし５のいずれかに記載のユーザ端末システムをコンピュータで実現するときの当該コンピュータを機能させるコンピュータプログラムをもって解決手段とする。
【００２５】
請求項９の本発明によれば、請求項１ないし５のいずれかに記載のユーザ端末システムをコンピュータで実現するときの当該コンピュータを機能させるコンピュータプログラムを流通可能にできる。
【発明の効果】
【００２６】
本発明によれば、伝達される内容の重要性に応じた押圧力で押圧部が押圧されたときに、押圧された押圧部または押圧位置または押圧部の方向と押圧力を検出し、当該検出された押圧部または押圧位置の属する押圧部が配置される方向または押圧部の方向に対応する相手のユーザ端末システムに対し映像と音声の少なくとも一方を送信するとともに当該検出された押圧力を通知し、送信された映像を、押圧力を通知するユーザ端末システムに対応する方向に当該押圧力に応じた大きさで表示すること、送信された音声を、押圧力を通知するユーザ端末システムに対応する方向から聞こえるように当該押圧力に応じた大きさで再生すること、の少なくとも一方を行うことで、重要性が顕在化することとなり、よって、重要な内容の伝達の便宜に供することができる。
【００２７】
また、伝達される内容の重要性に応じた押圧力で押圧部が押圧されたときに、押圧された押圧部または押圧位置または押圧部の方向と押圧力を検出し、当該検出された押圧部または押圧位置の属する押圧部が配置される方向または押圧部の方向に対応する相手のユーザ端末システムに対し映像と音声の少なくとも一方を送信するとともに当該検出された押圧力を通知し、映像を表示させること、音声を再生すること、の少なくとも一方を行い、押圧力を通知するユーザ端末システムに対応する方向に配置される押圧部に当該押圧力に応じた抗力を設定すること、押圧力を通知するユーザ端末システムに対応する方向に配置される押圧部の位置を当該押圧力に応じて制御すること、の少なくとも一方を行うことで、重要性が顕在化することとなり、よって、重要な内容の伝達の便宜に供することができる。
【００２８】
また、伝達される内容の重要性に応じた押圧力で押圧部が押圧されたときに、押圧された押圧部または押圧位置または押圧部の方向と押圧力を検出し、当該検出された押圧部または押圧位置の属する押圧部が配置される方向または押圧部の方向に対応する相手のユーザ端末システムに対し映像と音声の少なくとも一方を送信するとともに当該検出された押圧力を相手と第３者のユーザ端末システムとに通知し、相手のユーザ端末システムで、伝達される内容の重要性に応じた押圧力で押圧部が押圧されたときに、押圧された押圧部または押圧位置または押圧部の方向と押圧力を検出し、当該検出された押圧部または押圧位置の属する押圧部が配置される方向または押圧部の方向に対応する相手のユーザ端末システムに対し映像と音声の少なくとも一方を送信するともに当該検出された押圧力を相手と第３者のユーザ端末システムとに通知し、第３者のユーザ端末システムで、押圧力を通知するユーザ端末システムに対応する方向に配置される押圧部に当該押圧力に応じた抗力を設定すること、押圧力を通知するユーザ端末システムに対応する方向に配置される押圧部の位置を当該押圧力に応じて制御すること、の少なくとも一方を行うことで、重要な内容が伝達され得る通話を妨害する通話要求を遠慮する心理が働くこととなり、よって、重要な内容の伝達の便宜に供することができる。
【発明を実施するための最良の形態】
【００２９】
以下、本発明の実施の形態を図面を参照して説明する。
【００３０】
[第１の実施の形態]
図１（ａ）は、第１の実施の形態に係る通話システムを構成するユーザ端末システムを示す図である。
【００３１】
ユーザ端末システムはコンピュータ１とその周辺機器からなり、これを割り当てられたユーザに使用される。また、同様な他のユーザ端末システムとともに通話システムを構成するものであり、コンピュータ１と他のコンピュータとはネットワーク１０を介して接続される。
【００３２】
コンピュータ１は、例えばユーザの机の上に載置される圧力制御装置２と、例えば２以上のスピーカからなるスピーカシステム３と、液晶などからなる表示装置４と、カメラ５と、マイクロフォン６とに接続される。スピーカシステム３は、ヘッドホン内あるいは居室内に構成される。
【００３３】
圧力制御装置２は、図１（ｂ）に示すように、ユーザによる押圧力で押圧されかつそのときの移動量に応じた抗力をユーザに与える押圧部２１１，…，２１８を備える。また、圧力制御装置２は、図１（ａ）に示すように、押圧部ごとに設けられて当該押圧部が押圧されたときの移動量を検出する移動量検出部２２と、押圧部によりユーザに与えられる抗力を設定する抗力設定部２３とを備える。
【００３４】
押圧部２１１，…，２１８は、圧力制御装置２の円形状の上面部を構成すべく、それぞれが扇型に形成される。
【００３５】
このような圧力制御装置２にあっては、これに正対するユーザから最も遠く配置された押圧部の、圧力制御装置２の中心に対する方向が便宜的に「北」とされ、図１（ｂ）に示すように、押圧部２１１がユーザから最も遠く、つまり北の方向に配置される。ユーザには、後述の説明の便宜上、符号Ｕ６を付している。
【００３６】
コンピュータ１は、移動量検出部２２で検出された移動量を取得する移動量取得部１０１と、各押圧部の抗力の値が設定される抗力管理テーブルＴ１と、抗力管理テーブルＴ１を管理する設定管理部１０２と、移動量取得部１０１で取得された移動量と抗力管理テーブルＴ１に設定された抗力とにより押圧力を計算する押圧力計算部１０３と、スピーカシステム３へ音声信号を出力する音声信号出力部１０４と、音声信号出力部１０４に音の大きさを設定する音量設定部１０５と、音声信号出力部１０４に音の聞こえる方向を設定する音場定位設定部１０６と、表示装置４を表示制御する表示制御部１０７と、他のコンピュータ１と通信する通信部１０８と、他の各コンピュータ１のアドレスが記憶されるアドレス座標管理テーブル１０９と、通信部１０８に通話要求先を設定する通話要求先設定部１１０と、抗力管理テーブルＴ１に記憶される抗力を設定管理部１０２に通知する抗力通知部１１１とを備える。なお、ネットワーク１０がインターネットなどの場合の通信部１０８はインターネットプロトコルを終端する機能を備える。
【００３７】
図２は、抗力管理テーブルＴ１の設定内容を示す図である。
【００３８】
例えば、押圧部２１１を示す「Ｐ１」に対し、当該押圧部の配置される方向である北を示す「Ｎ」と、当該押圧部の移動量が所定の単位量に等しいときの抗力の初期値「１．０」とが対応づけられている。また、このように方向を英語の略式表記として、同様な設定が他の方向の押圧部についても行われている。
【００３９】
図３は、アドレス座標管理テーブル１０９の設定内容を示す図である。
【００４０】
例えば、押圧部２１１を示す「Ｐ１」に対し、当該押圧部に１対１で対応するコンピュータ１のアドレスと、当該コンピュータ１から送信される映像が表示される座標と、当該映像が表示されるときの大きさとが対応づけられている。また、同様な設定が他の方向の押圧部についても行われている。図３では、Ｐ６で示される押圧部２１６と、Ｐ８で示される押圧部２１８についてだけ内容を示し、他の押圧部については内容の記載を省略している。また、ここで示されたアドレスは、ネットワーク１０がＩＰネットワークの場合の各ＩＰアドレスである。また、ここで示された座標は、表示装置４が、１６００×１２００ドットの画面を備える場合の座標である。
【００４１】
［第１の実施の形態の動作］
次に、第１の実施の形態の動作を説明する。
【００４２】
ここで、図１と同様の図４および図５を用い、図１のコンピュータ１が押圧部２１６に対応し、また、図４のコンピュータ１が押圧部２１８、図５のコンピュータ１が押圧部２１５にそれぞれ対応していることとする。また、図１のコンピュータ１をコンピュータ１６、これ使用するユーザをユーザＵ６といい、また、図４のコンピュータ１をコンピュータ１８、これを使用するユーザをユーザＵ８、図５のコンピュータ１をコンピュータ１５、これを使用するユーザをユーザＵ５という。
【００４３】
また、他の押圧部についても、それに対応するコンピュータ１が存在し、よって合計で８のコンピュータ１で通話システムが構成されていることとする。
【００４４】
また、本実施の形態の通話システムでは通話がなされていないこととする。
【００４５】
さて、図１（ｂ）に示すように、コンピュータ１６に接続された圧力制御装置２の押圧部２１８がユーザＵ６により押圧されると、押圧部２１８の移動量検出部２２は、その押圧時の移動量を検出する。
【００４６】
コンピュータ１６の移動量取得部１０１は、その移動量検出部２２で検出された移動量を取得し、その移動量を押圧力計算部１０３に通知し、取得元である押圧部２１８を示す「Ｐ８」を通話要求先設定部１１０とに通知する。
【００４７】
次に、押圧力計算部１０３は、設定管理部１０２を介して、抗力管理テーブルＴ１に設定された抗力を取得し、その抗力と通知された移動量とにより押圧力を計算し、これを通話要求先設定部１１０に通知する。
【００４８】
例えば、移動量が所定の単位量の２倍で、「Ｐ８」で示される押圧部２１８に対応する方向「北西（ＮＷ）」に対応する抗力の値「１．２」だったときは、押圧力は１．２×２＝２．４と計算される。かかる計算は正規化ともいう。
【００４９】
次に、通話要求先設定部１１０は、アドレス座標管理テーブル１０９から、通知された「Ｐ８」で示される押圧部２１８に対応するアドレス、つまり、コンピュータ１８のアドレスを読み出し、これを通話要求先アドレスとして、通知された押圧力とともに通信部１０８に与える。
【００５０】
通信部１０８は、通話要求先のアドレス（コンピュータ１８のアドレス）、通話要求元のアドレス（コンピュータ１６のアドレス）、ならびに、通知された押圧力を含む通話要求を、通話要求先であるコンピュータ１８だけでなく、全コンピュータ１に通知する。
【００５１】
図４（ａ）のコンピュータ１８は、通知された通話要求先のアドレスが自身のアドレスか否かを判定し、この場合、自身のアドレスなので、以下の処理が行われる。
【００５２】
まず、コンピュータ１６の通信部１０８とコンピュータ１８の通信部１０８とが、映像と音声の送受信が可能なように相互接続し、例えば、コンピュータ１６の通信部１０８が、コンピュータ１５などの他のコンピュータの通信部１０８に通話開始を通知する。
【００５３】
また、通話開始の通知から後述する通話終了の通知までの通話中において、コンピュータ１６とコンピュータ１８とに接続された圧力制御装置２の押圧部は、通話の内容の重要性に応じて押圧され、両コンピュータはコンピュータ１８が通話要求に際して行ったようにして押圧力を計算し、その押圧力を継続的に通知しあう。
【００５４】
[コンピュータ１８による映像表示]
また、通話中において、コンピュータ１６に接続されたカメラ５で撮像されたユーザＵ６の映像をコンピュータ１６の通信部１０８が、コンピュータ１８の通信部１０８に送信し、これをコンピュータ１８の表示制御部１０７が表示装置４に表示させる。
【００５５】
このとき、画面中心に対する画面上部の方向を便宜的に「北」としたときの通話相手に対応する方向に映像を表示させる。具体的には、通信部１０８が通信相手のアドレスを表示制御部１０７に通知し、表示制御部１０７がアドレス座標管理テーブル１０９において、通知された通話相手のアドレスに対応づけられている座標の位置に映像を表示させる。しかも、表示制御部１０７は、対応づけられている大きさに通知された押圧力を加味した大きさで映像を表示させる。つまり、例えば、押圧力が大きいほど映像を大きく表示させる。図４（ａ）では、南西の方向にユーザＵ６の映像が表示されている。
【００５６】
したがって、ユーザＵ６の話す内容の重要性が顕在化することとなる。
【００５７】
以下、映像が表示される方向に言及するときは、画面中心に対する画面上部の方向を便宜的に「北」とする。
【００５８】
なお、通知された押圧力に応じた大きさで映像を表示する代わりに、通知された押圧力に応じた位置に映像を表示させてもよい。つまり、押圧力が大きいほど映像を画面中心に近く表示してもよい。また、場合によっては、アドレス座標管理テーブル１０９に設定された大きさで表示してもよい。
【００５９】
また、コンピュータ１８では、自身に接続されたカメラ５で撮像されたユーザＵ８の映像を自身の表示制御部１０７が表示装置４に表示させる。
【００６０】
このとき、コンピュータ１８自身に対応する方向に映像を表示させる。具体的には、アドレス座標管理テーブル１０９において、コンピュータ１８のアドレスに対応づけられている座標の位置に、対応づけられている大きさで映像をさせる。なお、計算された押圧力に応じた大きさで映像を表示させるのが好ましい。図４では、ユーザＵ８の映像については省略されている。
【００６１】
なお、計算された押圧力に応じた大きさであるいは押圧力に応じた位置に映像を表示させてもよい。これにより、ユーザＵ８自身の話す内容の重要性が顕在化することとなる。[コンピュータ１６による映像表示]
コンピュータ１６での映像表示もこれと同様である。つまり、図４（ｂ）のように、押圧部２１６が押圧され、図１（ａ）のように、北西の方向にユーザＵ８の映像が表示され、また、図示しないが、南西の方向にユーザＵ６の映像が表示される。また、その大きさや位置の制御が伴うことで、ユーザＵ８やユーザＵ６自身の話す内容の重要性が顕在化される。
【００６２】
[コンピュータ１８による音声再生]
また、通話中において、例えば、コンピュータ１６に接続されたマイクロフォン６で取得されたユーザＵ６の音声をコンピュータ１６の通信部１０８が、コンピュータ１８の通信部１０８に送信し、これをコンピュータ１８の音声信号出力部１０４がスピーカシステム３において再生させる。
【００６３】
このとき、ユーザの正面の方向を便宜的に「北」としたときの通話相手に対応する方向から音声が聞こえるように音声が再生される。具体的には、通信部１０８が、通信相手のアドレスを音場定位設定部１０６に通知し、音場定位設定部１０６がアドレス座標管理テーブル１０９において、通知された通話相手のアドレスに対応づけられている方向から音声が聞こえるように音声信号出力部１０４を設定する。また、通信部１０８は、通知された押圧力を音量設定部１０５に通知し、音量設定部１０５が、通知された押圧力に応じた大きさで、受信した音声が再生されるように音声信号出力部１０４を設定する。
【００６４】
そして、音声信号出力部１０４が、例えば、各スピーカのオンオフを制御して、設定のとおりに音声を再生させる。図４（ａ）では、ユーザＵ６の音声が南西の方向から聞こえるように再生される様子を模式的に示している。
【００６５】
したがって、ユーザＵ６の話す内容の重要性が顕在化することとなる。
【００６６】
なお、以下の音声再生についても、ユーザの正面の方向を便宜的に「北」としてなされるが、この前提への言及は省略する。
【００６７】
さて、コンピュータ１８では、自身に接続されたマイクロフォン６で取得されたユーザＵ８の音声を自身の音声信号出力部１０４がスピーカシステム３において再生させる。
【００６８】
このとき、音場定位設定部１０６は、コンピュータ１８に対応する方向から音声が聞こえるように音声信号出力部１０４を設定する。また、音量設定部１０５は、計算された押圧力に応じた大きさで音声が再生されるように音声信号出力部１０４を設定する。そして、音声信号出力部１０４が設定のとおりに音声を再生させる。
【００６９】
したがって、ユーザＵ８自身の話す内容の重要性が顕在化することとなる。なお、図４（ａ）では、ユーザＵ８の音声については省略されている。
【００７０】
[コンピュータ１６による音声再生]
コンピュータ１６での音声再生もこれと同様である。つまり、図４（ｂ）のように、押圧部２１６が押圧され、図１（ａ）のように、ユーザＵ８の音声が北西の方向から聞こえるように再生され、また、図示しないが、ユーザＵ６の音声が南西の方向から聞こえるように再生される。また、大きさの制御が伴うことで、ユーザＵ８やユーザＵ６自身の話す内容の重要性が顕在化される。
【００７１】
なお、重要性はユーザ自身がわかっているので、各コンピュータ１６，１８は、自身を使用するユーザの音声を再生しなくてもよい。また、大きさを制御しなくてもよい。
【００７２】
[コンピュータ１５による抗力設定]
一方、図５（ａ）のコンピュータ１５は、通話要求で通知された通話要求先のアドレスが自身のアドレスか否かを判定し、この場合、自身のアドレスではないので、以下の処理が行われる。
【００７３】
コンピュータ１５の抗力通知部１１１は、通話開始の通知後において、通話要求で通知された通話要求先のアドレスに対応する「Ｐ８」をアドレス座標管理テーブル１０９から読み出し、この「Ｐ８」と、通話要求先に対応する押圧部である押圧部２１８の移動量が所定の単位量に等しいときの抗力の値「２．０」とを設定管理部１０２に通知する。また、抗力通知部１１１は、通話要求元のアドレスに対応する「Ｐ６」をアドレス座標管理テーブル１０９から読み出し、この「Ｐ６」と、通話要求元に対応する押圧部である押圧部２１６の移動量が所定の単位量に等しいときの抗力の値「２．０」を設定管理部１０２に通知する。
【００７４】
コンピュータ１５の設定管理部１０２は、自身の抗力管理テーブルＴ１の、通知された「Ｐ８」に対して対応づけられている抗力の初期値「１．０」を、通知された抗力の値「２．０」で更新し、同様にして、通知された「Ｐ６」に対して対応づけられている抗力の初期値「１．０」を、通知された抗力の値「２．０」で更新する。
【００７５】
また、コンピュータ１５の設定管理部１０２は、コンピュータ１５に接続された圧力制御装置２の抗力設定部２３に対し、押圧部２１８の移動量が所定の単位量に等しいときの抗力の値を「２．０」とするように要求し、同様にして、当該抗力設定部２３に対し、押圧部２１６の移動量が所定の単位量に等しいときの抗力の値「２．０」とするように要求し、当該抗力設定部２３が要求のとおりに抗力を設定する。
【００７６】
よって、図５（ｂ）に示すように、押圧部２１６と押圧部２１８の抗力を強めることで、ユーザＵ６とユーザＵ８とが通話していることをユーザＵ５に通知することができる。したがって、重要な内容が伝達され得る通話を妨害する通話要求を遠慮する心理が働くこととなり、重要な内容の伝達の便宜に供することができる。
【００７７】
なお、コンピュータ１５は、コンピュータ１６が行ったように、ユーザＵ５による押圧部２１８の押圧により、コンピュータ１８と通話することができるが、抗力が強いので、少ない力で押圧部２１８を押圧するユーザＵ５による通話の音声、つまり重要性が低いであろうユーザＵ５の音声を小さくすることができる。あるいは、少ない力で押圧部２１８を押圧するユーザＵ５による通話の映像つまり重要性が低いであろうユーザＵ５の映像を小さくまたは中心から遠い位置に表示することができる。よって、重要性を顕在化させることとができる。
【００７８】
また、通話要求が送信される最小の移動量（移動量の閾値）を記憶しておき、その移動量を超えた移動量が取得されたときに限って通話要求を送信することとすれば、少ない力で押圧部２１８を押圧するユーザＵ５による通話、つまり重要性が低いであろう通話を防止することができる。
【００７９】
さて、例えば、コンピュータ１６の通信部１０８が、ユーザＵ６の操作により、コンピュータ１５などの他のコンピュータの通信部１０８に通話終了を通知する。
【００８０】
これにより、コンピュータ１５の抗力通知部１１１は、通話開始のときと同様にして、今度は「Ｐ８」と抗力の初期値「１．０」とを設定管理部１０２に通知する。また、抗力通知部１１１は、同様にして、今度は、「Ｐ６」と抗力の初期値「１．０」を設定管理部１０２に通知する。
【００８１】
コンピュータ１５の設定管理部１０２は、通話開始のときと同様にして、今度は、自身の抗力管理テーブルＴ１の抗力の値を初期値「１．０」に戻す。
【００８２】
また、コンピュータ１５の設定管理部１０２は、通話開始のときと同様にして、今度は、コンピュータ１５に接続された圧力制御装置２の抗力設定部２３に対し、通話開始のときと同様にして、今度は、抗力を初期値「１．０」とするように要求し、当該抗力設定部２３が要求のとおりに抗力を設定する。
【００８３】
なお、このように抗力を強めてから戻す設定をコンピュータ１６やコンピュータ１８で行ってもよい。その場合のコンピュータ１６やコンピュータ１８では、映像を表示するか、音声を再生しさえすれば、自身または相手に対応する方向から押圧力に応じた大きさでかつ音声が聞こえるように音声を再生したり、自身や相手に対応する方向において押圧力に応じた大きさであるいは押圧力に応じた位置に映像を表示する必要はない。
【００８４】
次に、コンピュータ１６とコンピュータ１８との間の通話中において、押圧部２１７に対応する図示しないコンピュータ１７からコンピュータ１８へ通話要求があった場合の動作を説明する。
【００８５】
コンピュータ１８は、通知された通話要求先のアドレスが自身のアドレスか否かを判定し、この場合、自身のアドレスなので、以下の処理が行われる。
【００８６】
まず、コンピュータ１７の通信部１０８とコンピュータ１８の通信部１０８とが、映像と音声の送受信が可能なように相互接続し、例えば、コンピュータ１７の通信部１０８が、コンピュータ１５などの他のコンピュータの通信部１０８に通話開始を通知する。
【００８７】
また、通話中において、コンピュータ１７とコンピュータ１８は、コンピュータ１８が通話要求に際して行ったようにして押圧力を計算し、その押圧力を継続的に通知しあう。  通話中において、コンピュータ１８は、コンピュータ１６から送信された映像と同様に、コンピュータ１７から送信された映像を表示させる。つまり、コンピュータ１８に接続された表示装置４では、コンピュータ１６から送信された映像がコンピュータ１６に対応する方向に、しかもコンピュータ１６から通知された押圧力に応じた態様で表示されるとともに、コンピュータ１７から送信された映像がコンピュータ１７に対応する方向に、しかもコンピュータ１７から通知された押圧力に応じた態様で表示される。
【００８８】
また、通話中において、コンピュータ１８は、コンピュータ１６から送信された音声と同様に、コンピュータ１７から送信された音声を再生させる。つまり、コンピュータ１８に接続されたスピーカシステム３では、コンピュータ１６から送信された音声がコンピュータ１６に対応する方向から聞こえるように、しかもコンピュータ１６から通知された押圧力に応じた大きさで再生されるとともに、コンピュータ１７から送信された音声がコンピュータ１７に対応する方向から聞こえるように、しかもコンピュータ１７から通知された押圧力に応じた大きさで再生される。
【００８９】
なお、コンピュータ１６から通知された押圧力とコンピュータ１７から通知された押圧力の比率は変化させないで、コンピュータ１６から送信された音声の大きさとコンピュータ１７から送信された音声の大きさとを共に大きくすることで、一方の音声により聞こえにくかった他方の音声を聞こえやすくしてもよい。
【００９０】
[画像による通話要求の通知]
これまでは、通話要求により自動接続する動作を説明したが、通話要求があったことをその通話要求先のコンピュータがユーザに通知し、通話を行うためのユーザ操作として、例えば、押圧部の押圧を検出し、それにより接続を行ってもよい。
【００９１】
通話要求先のコンピュータによるユーザへの通話要求の通知は、例えば、以下のようにして行われる。
【００９２】
コンピュータ１８は、通知された通話要求先のアドレスが自身のアドレスであるときは、表示制御部１０７が、通話相手に対応する方向に自身のユーザに対する通話要求があったことを示す通話要求画像を表示させる。具体的には、アドレス座標管理テーブル１０９において、通話相手のアドレスに対応づけられている座標の位置に、対応づけられている大きさで通話要求画像を表示させる。このとき、通話要求画像を点滅させてもよい。
【００９３】
なお、通知された押圧力に応じた大きさであるいは押圧力に応じた位置に通話要求画像を表示させてもよい。つまり、例えば、押圧力が大きいほど通話要求画像を大きく表示する。また、押圧力が大きいほど通話要求画像を画面中心に近く表示する。
【００９４】
[音による通話要求の通知]
あるいは、例えば、コンピュータ１８は、通知された通話要求先のアドレスが自身のアドレスであるときは、通信部１０８は、通信相手のアドレスを音場定位設定部１０６に通知し、音場定位設定部１０６がアドレス座標管理テーブル１０９において、通知された通話相手のアドレスに対応づけられている方向から通話要求音が聞こえるように音声信号出力部１０４を設定する。そして、音声信号出力部１０４が、設定のとおりに通話要求音をスピーカシステム３において再生させる。
【００９５】
[その他の方法による通話要求の通知]
あるいは、例えば、コンピュータ１５で行われたように、各押圧部２１６，押圧部２１８の移動量が所定の単位量に等しいときの抗力の値を「２．０」のように大きく設定してもよい。
【００９６】
また、通話要求先のコンピュータが通話要求を通知したように、通話要求先以外のコンピュータが通話要求を通知してもよい。
【００９７】
[第１の実施の形態の応用例１]
なお、第１の実施の形態にあっては、押圧部２１１が北に配置されることで、このように、ユーザＵ６が押圧部２１８を押圧すれば、コンピュータ１８のユーザＵ８と通話できる。
【００９８】
しかし、例えば、本来では北東に配置される押圧部２１２が北に配置されると、このような所望の相手との通話ができない。
【００９９】
そこで、圧力制御装置２においては、押圧された押圧部の方向を検出する検出部（検出部２２Ｂという）をジャイロなどで構成し、検出された方向を圧力制御装置２からコンピュータに通知し、その方向が、例えば、北西であるときは、押圧部２１８の移動量検出部２２から移動量が取得されたこととして前述の処理を行えばよい。
【０１００】
[第１の実施の形態の応用例２]
また、第１の実施の形態にあっては、圧力制御装置２内に、押圧されていないときの押圧部の、押圧方向における位置を制御する駆動部（駆動部２３Ｂという）を設け、上記の説明で抗力を大きした状況においては、抗力を大きくする代わりに、設定管理部１０２が駆動部２３Ｂに要求して、押圧されていない押圧部を押圧時の移動方向とは逆方向に移動した位置に制御し、一方、抗力を元の値に戻した状況においては、抗力を元の値に戻す代わりに、設定管理部１０２が駆動部２３Ｂに要求して、押圧部を元の位置に戻すようにしてもよい。また、押圧部の移動距離は、通知された押圧力が大きいほど大きくするのが好ましい。
【０１０１】
[第２の実施の形態]
図６は、第２の実施の形態に係る通話システムを構成するユーザ端末システムのコンピュータ１Ａと周辺機器を示す図である。ここでは、第１の実施の形態で説明したものには、同一符号を付与し、それ自体の説明は省略し、第１の実施の形態との差異を中心に説明する。
【０１０２】
コンピュータ１Ａは、圧力制御装置２と同様の用途で用いられる圧力制御装置２Ａと、スピーカシステム３と、表示装置４と、カメラ５と、マイクロフォン６とに接続される。  圧力制御装置２Ａは、押圧位置と押圧力を検出する円形状の圧電式のタッチパネル２１Ａを備え、このタッチパネル２１Ａは、それぞれが扇型の押圧部２１１Ａ，…，２１８Ａに区分される。このような圧力制御装置２Ａにあっては、これに正対したユーザから押圧部２１１Ａが最も遠く配置される。
【０１０３】
コンピュータ１は、タッチパネル２１Ａで検出された押圧位置と押圧力を取得する押圧情報取得部１０１Ａと、音声信号出力部１０４と、音量設定部１０５と、音場定位設定部１０６と、表示制御部１０７と、通信部１０８と、アドレス座標管理テーブル１０９と、通話要求先設定部１１０とを備える。
【０１０４】
［第２の実施の形態の動作］
次に、第２の実施の形態の動作を説明する。なお、その際の前提事項は、第１の実施の形態のときのものと同じである。
【０１０５】
さて、コンピュータ１Ａ（１６）に接続された圧力制御装置２Ａのタッチパネル２１Ａの押圧部２１８ＡがユーザＵ６により押圧されると、タッチパネル２１Ａは、その押圧位置と押圧力を検出する。
【０１０６】
コンピュータ１６の押圧情報取得部１０１Ａは、そのタッチパネル２１Ａで検出された押圧位置と押圧力を取得し、その押圧位置が属する押圧部である押圧部２１８Ａを示す「Ｐ８」と押圧力とを通話要求先設定部１１０に通知する。
【０１０７】
次に、通話要求先設定部１１０は、アドレス座標管理テーブル１０９から、通知された「Ｐ８」に対応するアドレス、つまり、コンピュータ１８のアドレスを読み出し、これを通話要求先アドレスとして、通知された押圧力とともに、通信部１０８に与える。
【０１０８】
なお、上記のような通信部１０８への通話要求先アドレスの通知を、押圧位置が隣の押圧部との境界線に近いときにも行うと、それがユーザの意図に反する可能性があるので、表示制御部１０７が表示装置４における表示で再度の押圧を促すか、あるいは、音声信号出力部１０４がスピーカシステム３における音の再生で再度の押圧を促すのが好ましい。  あるいは、例えば、指などで同時に押圧された全ての押圧位置が取得され、その押圧位置で構成される押圧位置範囲が２つの押圧部に跨っているときは、上記のように、再度の押圧を促すか、あるいは、押圧位置範囲が広い方の押圧部に対応するアドレスを通信部１０８を通知するのが好ましい。
【０１０９】
さて、第２の実施の形態では、コンピュータ１５は、通話要求で通知された通話要求先のアドレスが自身のアドレスか否かを判定し、自身のアドレスではないときは、例えば、以下の処理が行われる。
【０１１０】
例えば、コンピュータ１５は、通知された通話要求先のアドレスが自身のアドレスでないときは、通話中において、表示制御部１０７が、通話要求元と通話要求先のそれぞれ対応する方向に通話中であることを示す通話中画像を表示させる。具体的には、アドレス座標管理テーブル１０９において、通話要求元のアドレスに対応づけられている座標の位置に、対応づけられている大きさで通話中画像を表示させるとともに、アドレス座標管理テーブル１０９において、通話要求先のアドレスに対応づけられている座標の位置に、対応づけられている大きさで通話中画像を表示させる。なお、通話中画像を点滅させてもよい。また、このような通話中画像の表示は、第１の実施の形態で行ってもよい。
【０１１１】
コンピュータ１５の通信部１０８に通話終了の旨が通知されると、表示制御部１０７は、通話中画像の表示を終了させ、通信部１０８は次なる通話要求を待機する。
【０１１２】
なお、コンピュータ１５は、通知された通話要求先のアドレスが自身のアドレスでないときは、通話中画像の表示を行わずに、直ちに、次なる通話要求を待機することとしてもよい。
【０１１３】
なお、第１の実施の形態または第２の実施の形態では、コンピュータに表示装置４とカメラ５が接続されず、コンピュータが表示制御部１０７を備えない通話システムを構成してもよい。
【０１１４】
また、第１の実施の形態または第２の実施の形態では、コンピュータにスピーカシステム３とマイクロフォン６とが接続されず、コンピュータが音声信号出力部１０４と音量設定部１０５を備えない通話システムを構成してもよい。
【０１１５】
以上説明したように、本実施の形態では、各方向に配置される押圧部（２１１，…，２１８）と、押圧された押圧部または押圧位置または押圧部の方向と押圧力を検出する手段（押圧された押圧部を検出する手段は、移動量取得部１０１で構成され、押圧位置を検出する手段は、タッチパネル２１Ａで構成され、押圧された押圧部の方向を検出する手段は、検出部２２Ｂで構成され、押圧力を検出する手段は、押圧力計算部１０３またはタッチパネル２１Ａで構成される。）と、映像を撮像する手段（５）、音声を取得する手段（６）の少なくとも一方と、当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を通知する通信手段（１０８）とを備えるユーザ端末システム（図１）の相手のユーザ端末システム（図４）となるものであり、映像が表示される手段（４）、送信される映像を、押圧力を通知するユーザ端末システム（図１）に対応する方向に当該押圧力に応じた大きさで表示させる手段（１０７）の組、音声を再生する手段（３）、送信される音声を、押圧力を通知するユーザ端末システム（図１）に対応する方向から聞こえるように当該押圧力に応じた大きさで再生させる手段（１０４）の組、の少なくとも一方の組を備えるユーザ端末システムが構成される。
【０１１６】
この構成によれば、伝達される内容の重要性に応じた押圧力で押圧部が押圧され、押圧された押圧部または押圧位置または押圧部の方向と押圧力が検出され、当該検出された押圧部または押圧位置の属する押圧部が配置される方向または押圧部の方向に対応する相手のユーザ端末システムに対し映像と音声の少なくとも一方が送信されるとともに当該検出された押圧力が通知されたときに、送信された映像を、押圧力を通知するユーザ端末システムに対応する方向に当該押圧力に応じた大きさで表示すること、送信された音声を、押圧力を通知するユーザ端末システムに対応する方向から聞こえるように当該押圧力に応じた大きさで再生すること、の少なくとも一方を行うことで、重要性が顕在化することとなり、よって、重要な内容の伝達の便宜に供することができる。
【０１１７】
また、本実施の形態では、相手のユーザ端末システムが、映像が表示される手段、送信される映像を、押圧力を通知するユーザ端末システムに対応する方向に当該押圧力に応じた大きさで表示させる手段の組、音声を再生する手段、送信される音声を、押圧力を通知するユーザ端末システムに対応する方向から聞こえるように当該押圧力に応じた大きさで再生させる手段の組、の少なくとも一方の組を備えるときのユーザ端末システムとなるものであり、各方向に配置される押圧部と、押圧された押圧部または押圧位置または押圧部の方向と押圧力を検出する手段と、映像を撮像する手段、音声を取得する手段の少なくとも一方と、当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を通知する通信手段とを備えるユーザ端末システムが構成される。
【０１１８】
この構成によれば、伝達される内容の重要性に応じた押圧力で押圧部が押圧されたときに、押圧された押圧部または押圧位置または押圧部の方向と押圧力を検出し、当該検出された押圧部または押圧位置の属する押圧部が配置される方向または押圧部の方向に対応する相手のユーザ端末システムに対し映像と音声の少なくとも一方を送信するとともに当該検出された押圧力を通知することで、送信される映像が、押圧力を通知するユーザ端末システムに対応する方向に当該押圧力に応じた大きさで表示されること、送信される音声が、押圧力を通知するユーザ端末システムに対応する方向から聞こえるように当該押圧力に応じた大きさで再生されること、の少なくとも一方がなされ、よって、重要性が顕在化することとなり、よって、重要な内容の伝達の便宜に供することができる。
【０１１９】
また、本実施の形態では、各方向に配置される押圧部と、押圧された押圧部または押圧位置または押圧部の方向と押圧力を検出する手段と、映像を撮像する手段、音声を取得する手段の少なくとも一方と、当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を通知する通信手段とを備えるユーザ端末システムの相手のユーザ端末システムとなるものであり、映像が表示される手段、前記送信される映像を表示させる手段の組、音声を再生する手段、前記送信される音声を再生させる手段の組、の少なくとも一方の組と、各方向に配置される押圧部と、押圧部が押圧されたときの抗力を設定する手段（２３）、押圧力を通知するユーザ端末システムに対応する方向に配置される押圧部に当該押圧力に応じた抗力を設定させる手段（１０２）の組、押圧されていないときの押圧部の押圧方向における位置を制御する手段（２３Ｂ）、押圧力を通知するユーザ端末システムに対応する方向に配置される押圧部の位置を当該押圧力に応じて制御する手段（１０２）の組、の少なくとも一方の組とを備えるユーザ端末システムが構成される。
【０１２０】
この構成によれば、伝達される内容の重要性に応じた押圧力で押圧部が押圧され、押圧された押圧部または押圧位置または押圧部の方向と押圧力が検出され、当該検出された押圧部または押圧位置の属する押圧部が配置される方向または押圧部の方向に対応する相手のユーザ端末システムに対し映像と音声の少なくとも一方が送信されるとともに当該検出された押圧力が通知されたときに、映像を表示させること、音声を再生すること、の少なくとも一方を行い、押圧力を通知するユーザ端末システムに対応する方向に配置される押圧部に当該押圧力に応じた抗力を設定すること、押圧力を通知するユーザ端末システムに対応する方向に配置される押圧部の位置を当該押圧力に応じて制御すること、の少なくとも一方を行うことで、重要性が顕在化することとなり、よって、重要な内容の伝達の便宜に供することができる。
【０１２１】
また、本実施の形態では、相手のユーザ端末システムが、映像が表示される手段、送信される映像を表示させる手段の組、音声を再生する手段、送信される音声を再生させる手段の組、の少なくとも一方の組と、各方向に配置される押圧部と、押圧部が押圧されたときの抗力を設定する手段、押圧力を通知するユーザ端末システムに対応する方向に配置される押圧部に当該押圧力に応じた抗力を設定させる手段の組、押圧されていないときの押圧部の押圧方向における位置を制御する手段、押圧力を通知するユーザ端末システムに対応する方向に配置される押圧部の位置を当該押圧力に応じて制御する手段の組、の少なくとも一方の組とを備えるときのユーザ端末システムとなるものであり、押圧された押圧部または押圧位置または押圧部の方向と押圧力を検出する手段と、映像を撮像する手段、音声を取得する手段の少なくとも一方と、当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を通知する通信手段とを備えるユーザ端末システムが構成される。
【０１２２】
この構成によれば、伝達される内容の重要性に応じた押圧力で押圧部が押圧されたときに、押圧された押圧部または押圧位置または押圧部の方向と押圧力を検出し、当該検出された押圧部または押圧位置の属する押圧部が配置される方向または押圧部の方向に対応する相手のユーザ端末システムに対し映像と音声の少なくとも一方を送信するとともに当該検出された押圧力を通知することで、映像が表示されること、音声が再生されること、の少なくとも一方が行われ、押圧力を通知するユーザ端末システムに対応する方向に配置される押圧部に当該押圧力に応じた抗力が設定されること、押圧力を通知するユーザ端末システムに対応する方向に配置される押圧部の位置が当該押圧力に応じて制御されること、の少なくとも一方が行われ、重要な内容が伝達され得る通話を妨害する通話要求を遠慮する心理が働くこととなり、よって、重要な内容の伝達の便宜に供することができる。
【０１２３】
また、本実施の形態では、各方向に配置される押圧部と、押圧された押圧部または押圧位置または押圧部の方向と押圧力を検出する手段と、映像を撮像する手段、音声を取得する手段の少なくとも一方と、当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を相手と第３者のユーザ端末システム（図５）とに通知する通信手段とを備えるユーザ端末システムの相手のユーザ端末システムが、各方向に配置される押圧部と、押圧された押圧部または押圧位置または押圧部の方向と押圧力を検出する手段と、映像を撮像する手段、音声を取得する手段の少なくとも一方と、当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を相手と第３者のユーザ端末システムとに通知する通信手段とを備えるときの第３者のユーザ端末システムとなるものであり、各方向に配置される押圧部と、押圧された押圧部または押圧位置または押圧部の方向と押圧力を検出する手段と、映像を撮像する手段、音声を取得する手段の少なくとも一方と、当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を相手と第３者のユーザ端末システムとに通知する通信手段と、押圧部が押圧されたときの抗力を設定する手段、押圧力を通知するユーザ端末システムに対応する方向に配置される押圧部に当該押圧力に応じた抗力を設定させる手段の組、押圧されていないときの押圧部の押圧方向における位置を制御する手段、押圧力を通知するユーザ端末システムに対応する方向に配置される押圧部の位置を当該押圧力に応じて制御する手段の組、の少なくとも一方の組とを備えるユーザ端末システムが構成される。
【０１２４】
この構成によれば、伝達される内容の重要性に応じた押圧力で押圧部が押圧され、押圧された押圧部または押圧位置または押圧部の方向と押圧力が検出され、当該検出された押圧部または押圧位置の属する押圧部が配置される方向または押圧部の方向に対応する相手のユーザ端末システムに対し映像と音声の少なくとも一方が送信されるとともに当該検出された押圧力が相手と第３者のユーザ端末システムとに通知され、相手のユーザ端末システムで、伝達される内容の重要性に応じた押圧力で押圧部が押圧され、押圧された押圧部または押圧位置または押圧部の方向と押圧力が検出され、当該検出された押圧部または押圧位置の属する押圧部が配置される方向または押圧部の方向に対応する相手のユーザ端末システムに対し映像と音声の少なくとも一方が送信されるともに当該検出された押圧力が相手と第３者のユーザ端末システムとに通知されるときに、押圧力を通知するユーザ端末システムに対応する方向に配置される押圧部に当該押圧力に応じた抗力を設定すること、押圧力を通知するユーザ端末システムに対応する方向に配置される押圧部の位置を当該押圧力に応じて制御すること、の少なくとも一方を行うことで、重要な内容が伝達され得る通話を妨害する通話要求を遠慮する心理が働くこととなり、よって、重要な内容の伝達の便宜に供することができる。
【０１２５】
また、本実施の形態では、各方向に配置される押圧部と、押圧された押圧部または押圧位置または押圧部の方向と押圧力を検出する手段と、映像を撮像する手段、音声を取得する手段の少なくとも一方と、当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を通知する通信手段とを備えるユーザ端末システムならびに、その相手のユーザ端末システムとなるものであり、映像が表示される手段、送信される映像を、押圧力を通知するユーザ端末システムに対応する方向に当該押圧力に応じた大きさで表示させる手段の組、音声を再生する手段、送信される音声を、押圧力を通知するユーザ端末システムに対応する方向から聞こえるように当該押圧力に応じた大きさで再生させる手段の組、の少なくとも一方の組を備えるユーザ端末システムを備える通話システムが構成される。
【０１２６】
この構成によれば、伝達される内容の重要性に応じた押圧力で押圧部が押圧されたときに、押圧された押圧部または押圧位置または押圧部の方向と押圧力を検出し、当該検出された押圧部または押圧位置の属する押圧部が配置される方向または押圧部の方向に対応する相手のユーザ端末システムに対し映像と音声の少なくとも一方を送信するとともに当該検出された押圧力を通知し、送信された映像を、押圧力を通知するユーザ端末システムに対応する方向に当該押圧力に応じた大きさで表示すること、送信された音声を、押圧力を通知するユーザ端末システムに対応する方向から聞こえるように当該押圧力に応じた大きさで再生すること、の少なくとも一方を行うことで、重要性が顕在化することとなり、よって、重要な内容の伝達の便宜に供することができる。
【０１２７】
また、本実施の形態では、各方向に配置される押圧部と、押圧された押圧部または押圧位置または押圧部の方向と押圧力を検出する手段と、映像を撮像する手段、音声を取得する手段の少なくとも一方と、当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を通知する通信手段とを備えるユーザ端末システムならびに、その相手のユーザ端末システムとなるものであり、映像が表示される手段、前記送信される映像を表示させる手段の組、音声を再生する手段、前記送信される音声を再生させる手段の組、の少なくとも一方の組と、各方向に配置される押圧部と、押圧部が押圧されたときの抗力を設定する手段、押圧力を通知するユーザ端末システムに対応する方向に配置される押圧部に当該押圧力に応じた抗力を設定させる手段の組、押圧されていないときの押圧部の押圧方向における位置を制御する手段、押圧力を通知するユーザ端末システムに対応する方向に配置される押圧部の位置を当該押圧力に応じて制御する手段の組、の少なくとも一方の組とを備えるユーザ端末システムを備える通話システムをもって解決手段とする。
【０１２８】
この構成によれば、伝達される内容の重要性に応じた押圧力で押圧部が押圧されたときに、押圧された押圧部または押圧位置または押圧部の方向と押圧力を検出し、当該検出された押圧部または押圧位置の属する押圧部が配置される方向または押圧部の方向に対応する相手のユーザ端末システムに対し映像と音声の少なくとも一方を送信するとともに当該検出された押圧力を通知し、映像を表示させること、音声を再生すること、の少なくとも一方を行い、押圧力を通知するユーザ端末システムに対応する方向に配置される押圧部に当該押圧力に応じた抗力を設定すること、押圧力を通知するユーザ端末システムに対応する方向に配置される押圧部の位置を当該押圧力に応じて制御すること、の少なくとも一方を行うことで、重要性が顕在化することとなり、よって、重要な内容の伝達の便宜に供することができる。
【０１２９】
また、本実施の形態では、各方向に配置される押圧部と、押圧された押圧部または押圧位置または押圧部の方向と押圧力を検出する手段と、映像を撮像する手段、音声を取得する手段の少なくとも一方と、当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を相手と第３者のユーザ端末システムとに通知する通信手段とを備えるユーザ端末システムならびに、その相手のユーザ端末システムとなるものであり、各方向に配置される押圧部と、押圧された押圧部または押圧位置または押圧部の方向と押圧力を検出する手段と、映像を撮像する手段、音声を取得する手段の少なくとも一方と、当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を相手と第３者のユーザ端末システムとに通知する通信手段とを備えるユーザ端末システムならびに、そのときの第３者のユーザ端末システムとなるものであり、各方向に配置される押圧部と、押圧された押圧部または押圧位置または押圧部の方向と押圧力を検出する手段と、映像を撮像する手段、音声を取得する手段の少なくとも一方と、当該検出された押圧部または押圧位置の属する押圧部が配置される方向または押圧部の方向に対応する相手のユーザ端末システムに対し当該撮像された映像、当該取得された音声の少なくとも一方を送信するとともに当該検出された押圧力を相手と第３者のユーザ端末システムとに通知する通信手段と、押圧部が押圧されたときの抗力を設定する手段、押圧力を通知するユーザ端末システムに対応する方向に配置される押圧部に当該押圧力に応じた抗力を設定させる手段の組、押圧されていないときの押圧部の押圧方向における位置を制御する手段、押圧力を通知するユーザ端末システムに対応する方向に配置される押圧部の位置を当該押圧力に応じて制御する手段の組、の少なくとも一方の組とを備えるユーザ端末システムを備える通話システムが構成される。
【０１３０】
この構成によれば、伝達される内容の重要性に応じた押圧力で押圧部が押圧されたときに、押圧された押圧部または押圧位置または押圧部の方向と押圧力を検出し、当該検出された押圧部または押圧位置の属する押圧部が配置される方向または押圧部の方向に対応する相手のユーザ端末システムに対し映像と音声の少なくとも一方を送信するとともに当該検出された押圧力を相手と第３者のユーザ端末システムとに通知し、相手のユーザ端末システムで、伝達される内容の重要性に応じた押圧力で押圧部が押圧されたときに、押圧された押圧部または押圧位置または押圧部の方向と押圧力を検出し、当該検出された押圧部または押圧位置の属する押圧部が配置される方向または押圧部の方向に対応する相手のユーザ端末システムに対し映像と音声の少なくとも一方を送信するともに当該検出された押圧力を相手と第３者のユーザ端末システムとに通知し、第３者のユーザ端末システムで、押圧力を通知するユーザ端末システムに対応する方向に配置される押圧部に当該押圧力に応じた抗力を設定すること、押圧力を通知するユーザ端末システムに対応する方向に配置される押圧部の位置を当該押圧力に応じて制御すること、の少なくとも一方を行うことで、重要な内容が伝達され得る通話を妨害する通話要求を遠慮する心理が働くこととなり、よって、重要な内容の伝達の便宜に供することができる。
【０１３１】
なお、上記説明したユーザ端末システムのコンピュータを機能させるコンピュータプログラムは、半導体メモリ、磁気ディスク、光ディスク、光磁気ディスク、磁気テープなどのコンピュータ読み取り可能な記録媒体に格納したり、インターネットなどの通信網を介して伝送させて、広く流通させることができる。
【図面の簡単な説明】
【０１３２】
【図１】図１（ａ）は、第１の実施の形態に係る通話システムを構成するユーザ端末システムを示す図であり、図１（ｂ）は、各押圧部の配置を示す図である。
【図２】抗力管理テーブルＴ１の設定内容を示す図である。
【図３】図３は、アドレス座標管理テーブル１０９の設定内容を示す図である。
【図４】図４（ａ）は、図１（ａ）に示したユーザ端末システムの相手となるユーザ端末システムを示す図であり、図４（ｂ）は、各押圧部の配置を示す図である。
【図５】図５（ａ）は、図１（ａ）と図４（ａ）に示したユーザ端末システムにとっての第３者のユーザ端末システムを示す図であり、図５（ｂ）は、各押圧部の配置を示す図である。
【図６】図６は、第２の実施の形態に係る通話システムを構成するユーザ端末システムを示す図である。
【符号の説明】
【０１３３】
Ｔ１…抗力管理テーブル
１、１Ａ、１５、１６、１８…コンピュータ
２、２Ａ…圧力制御装置
３…スピーカシステム
４…表示装置
５…カメラ
６…マイクロフォン
１０…ネットワーク
２１Ａ…タッチパネル
２２…移動量検出部
２２Ｂ…押圧された押圧部の方向を検出する検出部
２３…抗力設定部
２３Ｂ…押圧方向における位置を制御する駆動部
１０１…移動量取得部
１０１Ａ…押圧情報取得部
１０２…設定管理部
１０３…押圧力計算部
１０４…音声信号出力部
１０５…音量設定部
１０６…音場定位設定部
１０７…表示制御部
１０８…通信部
１０９…アドレス座標管理テーブル
１１０…通話要求先設定部
１１１…抗力通知部
【図１】
2006253823.tif 000003
【図２】
2006253823.tif 000004
【図３】
2006253823.tif 000005
【図４】
2006253823.tif 000006
【図５】
2006253823.tif 000007
【図６】
2006253823.tif 000008